(57)【特許請求の範囲】
【請求項１】
それぞれ向かい合う長辺フランジ部と短辺フランジ部からなるフランジ部と、少なくとも前記長辺フランジ部の内周縁下方に形成されたフランジ段部と、を有する浴槽本体と、
前記フランジ段部に載せられる風呂蓋と、
前記短辺フランジ部の少なくともどちらか一方に配置される前記浴槽本体とは別体の枕部と、
を備え、
前記枕部の浴槽本体内側の端部は、前記短辺フランジ部側の内周縁下方の浴槽本体壁面と風呂蓋との接触位置よりも浴槽本体外側に位置しており、
前記枕部は、前記短辺フランジ部上に直接載置され、
前記浴槽本体を全体的に覆うように前記風呂蓋を前記フランジ段部に載せた状態で、前記風呂蓋の最も浴槽本体外側の部位が、前記枕部と前記短辺フランジ部との接触部位の最も浴槽本体内側の位置よりも浴槽本体内側に位置する浴槽装置。
【請求項２】
それぞれ向かい合う長辺フランジ部と短辺フランジ部からなるフランジ部と、少なくとも前記長辺フランジ部の内周縁下方に形成されたフランジ段部と、を有する浴槽本体と、
前記フランジ段部に載せられる風呂蓋と、
前記短辺フランジ部の少なくともどちらか一方に配置される前記浴槽本体とは別体の枕部と、
を備え、
前記枕部の浴槽本体内側の端部は、前記短辺フランジ部側の内周縁下方の浴槽本体壁面と風呂蓋との接触位置よりも浴槽本体外側に位置しており、
前記枕部は、前記短辺フランジ部上に直接載置され、
前記短辺フランジ部の内周縁下方にもフランジ段部が形成され、
該フランジ段部と前記短辺フランジ部との間に、前記風呂蓋の最も浴槽本体外側の部位と接触することによって前記風呂蓋が浴槽本体外側方向へ移動することを規制する縦壁部が形成され、
前記枕部と前記短辺フランジ部との接触部位の最も浴槽本体内側の位置が、前記縦壁部よりも浴槽本体外側に位置している浴槽装置。
【請求項３】
前記枕部は、前記短辺フランジ部上に着脱可能に載置されている請求項１または２に記載の浴槽装置。
【発明の詳細な説明】
【技術分野】
【０００１】
本発明は、浴槽装置に関する。
【背景技術】
【０００２】
従来より、浴槽本体のフランジ部に、入浴者が頭を乗せることのできる枕部を設けた浴槽装置が知られている（例えば特許文献１参照）。
【先行技術文献】
【特許文献】
【０００３】
【特許文献１】特開２００５−２７０３８７号公報
【発明の概要】
【発明が解決しようとする課題】
【０００４】
上記のような枕部を備える浴槽装置では、風呂蓋の着脱の際に風呂蓋と枕部が接触すると、風呂蓋の着脱性が低下するおそれがある。また、風呂蓋と枕部の接触により、枕部が浴槽装置のフランジ部から外れるおそれもある。
【０００５】
本発明の目的は、このような課題に鑑みてなされたもので、枕部を備える浴槽装置において、風呂蓋を着脱する際の枕部と風呂蓋の接触を防止できる技術を提供することにある。
【課題を解決するための手段】
【０００６】
上記課題を解決するために、本発明のある態様の浴槽装置は、それぞれ向かい合う長辺フランジ部と短辺フランジ部からなるフランジ部と、少なくとも長辺フランジ部の内周縁下方に形成されたフランジ段部と、を有する浴槽本体と、フランジ段部に載せられる風呂蓋と、短辺フランジ部の少なくともどちらか一方に配置される浴槽本体とは別体の枕部とを備える。枕部の浴槽本体内側の端部は、短辺フランジ部側の内周縁下方の浴槽本体壁面と風呂蓋との接触位置よりも浴槽本体外側に位置している。この態様によると、風呂蓋を着脱する際に、風呂蓋が枕部と接触し難くなる。
【０００７】
短辺フランジ部の内周縁下方にもフランジ段部が形成されてもよい。
【０００８】
枕部の浴槽本体内側の端部より下方の面は、枕部の内側に向かって傾斜する傾斜面となっていてもよい。
【発明の効果】
【０００９】
本発明によれば、枕部を備える浴槽装置において、風呂蓋を着脱する際の枕部と風呂蓋の接触を防止できる。
【図面の簡単な説明】
【００１０】
【図１】本発明の実施形態に係る浴槽装置の風呂蓋が乗せられた状態を示す斜視図である。
【図２】本発明の実施形態に係る浴槽装置の風呂蓋が取り外された状態を示す斜視図である。
【図３】本発明の実施形態に係る浴槽装置の風呂蓋が取り外された状態を示す平面図である。
【図４】図３に示す浴槽装置のＡ−Ａ概略断面図である。
【図５】枕部周辺の概略断面図である。
【図６】本発明の別の実施形態に係る浴槽装置の風呂蓋が取り外された状態を示す平面図である。
【図７】枕部周辺の概略断面図である。
【発明を実施するための形態】
【００１１】
以下、本発明を好適な実施の形態をもとに図面を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
図１は、本発明の実施形態に係る浴槽装置１００の風呂蓋が乗せられた状態を示す斜視図である。図２は、本発明の実施形態に係る浴槽装置１００の風呂蓋が取り外された状態を示す斜視図である。図３は、本発明の実施形態に係る浴槽装置１００の風呂蓋が取り外された状態を示す平面図である。図４は、図３に示す浴槽装置１００のＡ−Ａ概略断面図である。
【００１３】
図１および図２に示すように、浴槽装置１００は、浴槽本体１１０と、浴槽本体１１０の上部に載せられる３枚の風呂蓋１１７と、浴槽本体１１０の上部に設けられる枕部１２０とを備える。なお、風呂蓋の数は特に限定されず、例えば２枚であってもよい。
【００１４】
浴槽本体１１０は、開口部を周状に囲うフランジ部１１２と、フランジ部１１２の内周縁下方に形成された、フランジ部１１２から１段下がったフランジ段部１１４とを有する。フランジ部１１２は平面視において略矩形状に形成されている。図３に示すように、フランジ部１１２は、対向する２つの長辺フランジ部１１２ａと、対向する２つの短辺フランジ部１１２ｂとからなる。本実施形態では、長辺フランジ部１１２ａおよび短辺フランジ部１１２ｂの内周縁下方にフランジ段部１１４が形成されている。風呂蓋１１７は、浴槽本体１１０のフランジ段部１１４に載せられる。本実施形態では、長辺フランジ部１１２ａと短辺フランジ部１１２ｂの両方にフランジ段部１１４が形成されているため、風呂蓋１１７とフランジ段部１１４とが重なる部分が多くなり、高い保温性を達成することができる。
【００１５】
枕部１２０は、一方の短辺フランジ部１１２ｂ上に配置されている。枕部は両方の短辺フランジ部１１２ｂ上に配置されてもよい。枕部１２０は、入浴者が頭を乗せるための頭受け面１２０ａを有する。頭受け面１２０ａは、浴槽本体１１０の内側方向に向かって下がる傾斜面とされている。
【００１６】
本実施形態において、枕部１２０は浴槽本体１１０とは別体である。枕部１２０を浴槽本体１１０とは別体とすることで、枕部１２０を浴槽本体１１０とは別素材で形成することができ、枕部１２０の素材の選択肢が広がる。例えば枕部１２０をクッション性の高い素材で形成することができ、入浴者の快適性を高めることができる。
【００１７】
枕部１２０は、一方の短辺フランジ部１１２ｂ上に着脱可能に配置される。例えば、短辺フランジ部１１２ｂ上に形成された凸部（図示せず）と、枕部１２０の下面に形成された凹部（図示せず）とが嵌合することで、枕部１２０はフランジ部１１２に装着される。このような嵌合構造により枕部１２０をフランジ部１１２から容易に着脱可能とすることで、枕部１２０や浴槽本体１１０の清掃が容易となる。
【００１８】
図５は、枕部１２０周辺の概略断面図である。上述したように、浴槽本体１１０の一方の短辺フランジ部１１２ｂ上に枕部１２０が配置されている。また、浴槽本体１１０のフランジ段部１１４上に風呂蓋１１７が載せられている。
【００１９】
本実施形態においては、枕部１２０の浴槽本体内側の端部１２０ｂは、短辺フランジ部側の内周縁下方の浴槽本体壁面１１０ａと風呂蓋１１７との接触位置ＣＰよりも浴槽本体外側に位置している。本実施形態においては、図５に示すように、枕部１２０の浴槽本体内側の端部１２０ｂが、フランジ部１１２とフランジ段部１１４との間の縦壁部１１４ａより後退している。すなわち、枕部１２０の端部１２０ｂは、縦壁部１１４ａよりも浴槽本体外側に位置している。風呂蓋１１７はフランジ段部１１４に載せられているため、枕部１２０の浴槽本体内側の端部１２０ｂは必ず、短辺フランジ部側の内周縁下方の浴槽本体壁面１１０ａと風呂蓋１１７との接触位置ＣＰよりも浴槽本体外側となる。従って、風呂蓋１１７着脱する際に、風呂蓋１１７が枕部１２０と接触し難くなり、接触により枕部１２０がフランジ部１１２から外れるのを防止できる。接触位置ＣＰは、縦壁部１１４ａの立ち上がり部分に位置してもよい。あるいは、フランジ段部１１４が浴槽方向内側に向かって下がる傾斜面となっている場合には、接触位置ＣＰは該傾斜面上に位置してもよい。すなわち、接触位置ＣＰとは、風呂蓋１１７の浴槽本体外側方向への移動を規制する点のことである。
【００２０】
図５では、枕部１２０の端部１２０ｂが縦壁部１１４ａより後退している実施形態を例示したが、枕部１２０の端部１２０ｂが縦壁部１１４ａと略揃っていてもよい。この場合も、風呂蓋１１７と枕部１２０の接触を防止できる。
【００２１】
また本実施形態においては、枕部１２０の浴槽本体内側の端部１２０ｂより下方の面１２０ｃは、枕部１２０の内側（すなわち浴槽本体外側）に向かって傾斜する傾斜面となっている。
【００２２】
仮に、端部１２０ｂより下方の面１２０ｃをこのような傾斜面とせず、頭受け面１２０ａを下り傾斜面のままフランジ部まで延長したとすると、頭受け面１２０ａの端部が風呂蓋１１７と接触する可能性がある。また、縦壁部１１４ａと短辺フランジ部１１２ｂとの間には通常面取り部が形成されており、この面取り部に枕部１２０が載ると枕部１２０が不安定になりやすい。枕部１２０全体を浴槽本体外側に後退させればこのような事態を防止できるが、この場合は頭受け面１２０ａも浴槽本体外側に後退してしまうため、入浴者の頭を受けるのに最適な位置に頭受け面１２０ａを配置できないおそれがある。
【００２３】
そこで、本実施形態のように、端部１２０ｂより下方の面１２０ｃを、枕部１２０の内側に向かって傾斜する傾斜面とすることで、頭受け面１２０ａをできるだけ浴槽本体内側に位置させつつ、枕部１２０と風呂蓋１１７との接触を防ぎ、且つ枕部１２０を安定的に配置できる。
【００２４】
また、端部１２０ｂより下方の面１２０ｃを、枕部１２０の内側に向かって傾斜する傾斜面とした場合、この面１２０ｃに指をかけて枕部１２０を浴槽本体１１０から取り外しやすいという利点もある。また、図４に示すように、枕部１２０の両側面の下部にも枕部１２０の内側に向かって傾斜する傾斜面１２０ｄを形成し、枕部１２０を浴槽本体１１０から取り外しやすくしてもよい。
【００２５】
図６は、本発明の別の実施形態に係る浴槽装置２００の風呂蓋が取り外された状態を示す平面図である。本実施形態に係る浴槽装置２００においては、長辺フランジ部１１２ａの内周縁下方にのみフランジ段部１１４が形成されており、短辺フランジ部１１２ｂの内周縁下方にはフランジ段部が形成されていない点が、図３に示す浴槽装置１００と異なる。
【００２６】
図７は、枕部１２０周辺の概略断面図である。浴槽本体１１０の一方の短辺フランジ部１１２ｂ上に浴槽本体１１０とは別体の枕部１２０が配置されている。
【００２７】
上述したように、本実施形態では、短辺フランジ部１１２ｂの内周縁下方にはフランジ段部が形成されていない。従って、風呂蓋１１７の短辺フランジ部側の端部はフランジ段部に載っておらず、浴槽本体壁面１１０ａに接触している。
【００２８】
本実施形態においても、枕部１２０の浴槽本体内側の端部１２０ｂは、短辺フランジ部側の内周縁下方の浴槽本体壁面１１０ａと風呂蓋１１７との接触位置ＣＰよりも浴槽本体外側に位置している。これにより、風呂蓋１１７着脱する際に、風呂蓋１１７が枕部１２０と接触し難くなり、接触により枕部１２０がフランジ部１１２から外れるのを防止できる。
【００２９】
以上、本発明の実施の形態およびその変形例をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００３０】
１００、２００  浴槽装置、  １１０  浴槽本体、  １１２  フランジ部、  １１４  フランジ段部、  １１４ａ  縦壁部、  １１７  風呂蓋、  １２０  枕部。
【図１】
0006738147.tif 000002
【図２】
0006738147.tif 000003
【図３】
0006738147.tif 000004
【図４】
0006738147.tif 000005
【図５】
0006738147.tif 000006
【図６】
0006738147.tif 000007
【図７】
0006738147.tif 000008